(57)【特許請求の範囲】
【請求項１】
一枚のカバーフィルム（１）上に相互離隔されて二重に構成され、内部に所定の内容物（Ａ）を充填または収納させるための所定形状の一組の容器部（１０）（１０’）と、
上記容器部（１０）（１０’）の表面に構成され、容器部（１０）（１０’）が表現しようとする形状の視覚的認識を補助することができるように、多様な色相や文様で構成される容器印刷部（２０）（２０’）と、
上記カバーフィルム（１）の裏面にシーリング状態で付着される蓋フィルム（２）において、容器部（１０）（１０’）の入口をカバーする部位に構成される透明部（３０）（３０’）と、
上記容器部（１０）（１０’）の中間部に位置するように上記カバーフィルム（１）と蓋フィルム（２）に構成され、必要時に容器部（１０）（１０’）が向い合う状態で合されるように上記カバーフィルム（１）と蓋フィルム（２）を半分に折畳ませるための折畳線（４０）を各々含み、
上記透明部（３０）（３０’）の内部に相対的に小さな面積で構成され、上記透明部（３０）（３０’）と連係して、容器部（１０）（１０’）が表現しようとする事物の内部形態の視覚的認識を補助することができるように多様な色相や文様で構成される蓋印刷部（５０）（５０’）を追加的に構成することを特徴とする、改善された視覚性を有するブリスター包装体。
【発明の詳細な説明】
【技術分野】
【０００１】
本発明は、ゲルのような半固体形の二種の内容物を収容するブリスター包装体に関する。さらに具体的には、平らなカバーフィルム上に一側に隆出する同一形態の二つの容器部を対向させて構成し、二つの容器部の中間には折畳線を構成して、包装時、二つの容器部が折畳線を中心に折畳まれて一つに合されて所定の事物形状を具現することができるようにし、各容器部の表面には、容器部が表現しようとする形状の識別を補助するための多様な色相や文様を有する容器印刷部が備えられるようにし、包装体の蓋フィルムのうち容器部の入口をカバーする部位には、透明部または一部に蓋印刷部が構成される透明部を構成して、蓋フィルムを介して見える内容物が、容器部が表現しようとする事物の内部模様として表現されることができるようにしたもので、内容物の成分や特性と連関し得る情報の一部を、消費者に単純明瞭に類推や期待させるように、形態的に表現することが可能であり、併せて、折ったり広げたりすることによって包装体の構成に動的変化を付与することが可能で、消費者に好奇心や視覚的誘引を図ることができるようにして、商品の展示及び広告効果を最大限に引き上げ、商品販売を促進させることができる改善された視覚性を有するブリスター包装体に関するものである。
【背景技術】
【０００２】
通常、ブリスター包装構造（Ｂｌｉｓｔｅｒ  ｐａｃｋａｇｅ）は、熱可塑性プラスチックフィルムまたはシートとしての包装方法の一種であり、包装しようとする商品の形状に大略合わせた輪郭の膨らみとして圧空または真空成形した、プラスチックラミネートカバーフィルムまたはシートで構成される容器体の膨らんだ空間部分に内容物を入れた後、紙やプラスチックラミネートフィルムで構成される蓋フィルムで容器体の平らなフランジ部分のみをヒートシール（ｈｅａｔ  ｓｅａｌ）、高周波、超音波等で接着する方法であって、食品、日用品、雑貨、工産品、錠剤薬品、液状の化粧品等の包装に広く使用されている。
【０００３】
既存のブリスター包装体は、図８でのように、板状の成形シート１Ａに一側方向に隆出するように、所定の内容物４Ａが充填されたり収納される容器部２Ａを構成し、成形シート１Ａの裏面には蓋フィルム３Ａをシーリングされるように付着して、内容物４Ａが勝手に離脱することができないようにしている。
【０００４】
しかし、このような既存の包装体は、構成自体が動的変化が不可能な固定的な構造であり、包装体の容器部２Ａもまた形態が半球型や楕円形、四角形等、極めて画一的で単純な形態を有する関係から、消費者に好奇心や視覚的誘引を図るに充分でない部分が多く、したがって商品の展示及び広告効果の低下により商品販売を促進し難くなる問題があり、
また既存の包装体の容器部２Ａは、単純に内容物の収納や保存機能のみを担当するように構成され、収容された内容物を外部から見ることができるように透明に構成されたものが大部分であり、これにより容器部２Ａの形態を介して内容物の成分や特性と連関し得る情報の一部を消費者に類推させたり表現すること、例えば容器部の形態をリンゴ形態に構成して容器部のみを見ても内容物にリンゴの香りや成分が含有されていることをあらかじめ推測したり期待することが不可能になり、したがって各種内容物についての情報文句や図案の表示は、蓋フィルム３Ａの裏面に印刷して使用している実情であり、他の包装体の構造と特異点がなく、競争力の低下をもたらす問題が常在するのであった。
【発明の概要】
【発明が解決しようとする課題】
【０００５】
上記のような問題点を解決するための本発明は、消費者に内容物の成分や特性と連関し得る情報の一部を単純明瞭に形態的に表現することが可能であり、併せて、折ったり広げたりすることによって包装体の構成に動的変化を付与することが可能で、消費者に好奇心や視覚的誘引を図ることができるようにして、商品の展示及び広告効果を最大限に引き上げ、商品販売を促進させることができる改善された視覚性を有するブリスター包装体を提供することにその目的がある。
【課題を解決するための手段】
【０００６】
上記のような本発明の目的を達成するために案出された本発明は、
平らなカバーフィルム上に一側に隆出する同一形態の二つの容器部を対向させて構成し、二つの容器部の中間には折畳線を構成して、包装時、二つの容器部が折畳線を中心に折畳まれて一つに合されて所定の事物形状を具現することができるようにし、各容器部の表面には、容器部が表現しようとする形状の識別を補助するための多様な色相や文様を有する印刷部が備えられるようにし、包装体の蓋フィルムのうち容器部の入口をカバーする部位には、透明部または一部に印刷部が構成される透明部を構成して、蓋フィルムを介して見える内容物が、容器部が表現する事物の内部模様として表現されることができるようにすることを特徴とする。
【発明の効果】
【０００７】
以上のような本発明は、折畳線を中心に包装体を折ると、容器部が合されて一つの事物形態に見えるようになって、包装展示状態で消費者に内容物の成分や特性と連関し得る情報の一部を単純明瞭に類推や期待させることが可能で、また使用のために包装体を広げれば、蓋フィルムの透明部や蓋印刷部を介して該当事物の内部や断面模様のように消費者に表現することができるようになって、好奇心や視覚的誘引を図ることができるようになり、これにより商品の広告宣伝効果を最大限に引き上げて商品販売を促進させることができる効果があるのである。
【図面の簡単な説明】
【０００８】
【図１】本発明の一構成例を示す斜視図である。
【図２】図１の分離斜視図である。
【図３】本発明の折畳状態を示す斜視図である。
【図４】図３の側面の例示図である
【図５】図４の縦断面の例示図である。
【図６】本発明包装体を広げた状態で裏面を示す例示図である。
【図７】本発明に適用される蓋フィルムの他の構成例で、蓋フィルムの透明部に蓋印刷部を構成した状態を示す斜視図である。
【図８】既存のブリスター包装体の一構成を示す分離斜視図である。
【発明を実施するための形態】
【０００９】
以下、本発明について図面を参照して詳しく説明する。
【００１０】
図１は、本発明の一構成例を示す斜視図であり、図２は図１の分離斜視図であって、
図示されたように、本発明の包装体Ｐは、一枚のカバーフィルム１上に相互離隔されて二重に構成され、内部に所定の内容物Ａを充填または収納するための所定形状の一組の容器部１０、１０’と、
上記容器部１０、１０’の表面に構成され、容器部１０、１０’が表現しようとする形状の視覚的認識を補助することができるように、多様な色相や文様で構成される容器印刷部２０、２０’と、
上記カバーフィルム１の裏面にシーリング状態で付着される蓋フィルム２において、容器部１０、１０’の入口をカバーする部位に構成される透明部３０、３０’と、
上記容器部１０、１０’の中間部に位置するように上記カバーフィルム１と蓋フィルム２に構成され、必要時に容器部１０、１０’が向い合う状態で合されるように上記カバーフィルム１と蓋フィルム２を半分に折畳ませるための折畳線４０を各々含んで構成することをすることを特徴とする。
【００１１】
図７は、本発明に適用される蓋フィルム２の他の構成例であって、
上記透明部３０、３０’の内部に相対的に小さな面積で構成され、上記透明部３０、３０’と連係して、容器部１０、１０’が表現しようとする事物の内部形態の視覚的認識を補助することができるように多様な色相や文様で構成される蓋印刷部５０、５０’を追加的に構成することを特徴とする。
このように構成された本発明の作用を説明すれば次のとおりである。
【００１２】
本発明に適用される容器部１０、１０’の形状は、内容物Ａの種類や成分等と連関させて構成することができるが、これに限られず、単に消費者の視覚性を改善することができるどんな事物の形態も可能であることを知らせておく。
【００１３】
説明の便宜上、図面では容器部１０、１０’の形状を卵の形態で適用させた状態で説明することとする。
【００１４】
本発明のブリスター包装体は、透明のカバーフィルム１上に卵に該当する色相と模様の容器印刷部２０、２０’を印刷した後、この容器の印刷部２０、２０’を卵の半分側に該当する半球型の形態に隆出するように成形して容器部１０、１０’を構成した後、次の工程で容器部１０、１０’内に内容物Ａを充填させてなる。
【００１５】
この際、内容物Ａは、単一の成分と色相を有する単一内容物を充填することもでき、使用時に混合して使用することができる二種の成分と色相を有する二種の内容物を充填することができるものであり、図面では容器部１０、１０’を卵状に構成しただけに色相が異なる二種の内容物を適用するようになり、充填過程で選択された任意の内容物が黄身のように見えるように、他の内容物の内部中央に位置され、充填形態もまた半円形や円形で構成されるように充填するようになる。
【００１６】
内容物Ａの充填が終われば、透明部３０、３０’が容器部１０、１０’の入口をシーリングする状態で、不透明の蓋フィルム２をカバーフィルム１の裏面に付着するようになり、この後、蓋フィルム２とカバーフィルム１に折畳線４０を加工して折畳が可能なようにするのである。
【００１７】
このように構成されることができる本発明のブリスター包装体は、図３でのように、折畳まれた状態で販売されるもので、半球形に構成される二つの容器部１０、１０’が折畳まれ合わせられるようになると、卵の色相を有する容器印刷部２０、２０’によって、図４でのように、一つの卵の形態のように見えるようになるもので、展示状態で消費者の視覚性を改善し製品に対する関心と好奇心を誘発することができるようになる。
【００１８】
一方、使用のために容器部１０、１０’を図６でのように広げると、容器部１０、１０’内に充填された二種二色の内容物が蓋フィルム２を介して見えるようになるもので、まるで卵内部の卵黄と卵白が連想される模様に見えるようになるのである。
【００１９】
一方、図７は本発明に適用される蓋フィルム２の他の構成例であって、
上記透明部３０、３０’の内部に相対的に小さな面積で構成される蓋印刷部５０、５０’を構成したもので、二色ではない単一色相の内容物Ａが充填され、容器部１０、１０’が構成する形態の内部が異色で構成される場合、内容物で表現することができない部分の模様や色相を蓋印刷部５０、５０’によって具現することができるようになる。
【００２０】
例えば、容器印刷部２０、２０’にスイカの縞模様と緑色の色相が印刷され、容器部１０、１０’内には単一の白色の内容物が充填される場合、
上記透明部３０、３０’と蓋印刷部５０、５０’を介して見える部分が、スイカの内部と似るように、蓋印刷部５０、５０’には赤色の地色に点々が黒い色の種が表現されるように印刷するようになるのである。
【００２１】
このようにすれば、蓋印刷部５０、５０’の周りに形成される透明部３０、３０’を介しては白色の内容物がスイカの皮の部分が連想され、蓋印刷部５０、５０’を介してはスイカの果肉と種のイメージが表現されることができるようになるのである。
【００２２】
このような本発明のブリスター包装体は、容器部１０、１０’の形状と容器印刷部２０、２０’、蓋印刷部５０、５０’の模様と色相を変更することにより、いくらでも多様な事物のイメージを適用することが可能で、消費者に視覚性を大きくアピールすることができるようになる。
【００２３】
以上では本発明の実施例を説明したが、本発明が属する技術分野で通常の知識を有する者が本発明の技術的思想を逸脱しない範囲内で変更及び変形したものも本発明の権利範囲に属することは当然である。
【図１】
0006516167.tif 000002
【図２】
0006516167.tif 000003
【図３】
0006516167.tif 000004
【図４】
0006516167.tif 000005
【図５】
0006516167.tif 000006
【図６】
0006516167.tif 000007
【図７】
0006516167.tif 000008
【図８】
0006516167.tif 000009